(57)【要約】【課題】光ディスクの種類に関係なく、光ディスクに記録されているコンテンツの種類の判別が可能な光ディスク装置を実現する。【解決手段】光ディスク装置（１１）は、ホスト装置（１００）と光ディスク装置（１１）との間のやりとりに基づいて、光ディスク（１６）に記録されているコンテンツの種類を判別するシステムコントローラ（１２）と、判別されたコンテンツの種類に応じて、光ディスク装置（１１）の回転速度を制御するディスク回転制御部（１３）およびホスト装置（１００）と光ディスク装置（１１）との間のデータ通信速度を制御する通信速度制御部（１７）とを備える。【選択図】図１
2006185480.tif 000002
【特許請求の範囲】
【請求項１】
光ディスクに記録された情報を再生する光ディスク装置であって、
ホスト装置と前記光ディスク装置との間のやりとりに基づいて、前記光ディスクに記録されているコンテンツの種類を判別するシステムコントローラと、
前記判別されたコンテンツの種類に応じて、前記光ディスク装置の再生動作の制御を行う制御部とを備えた
ことを特徴とする光ディスク装置。
【請求項２】
請求項１に記載の光ディスク装置において、
前記システムコントローラは、前記ホスト装置から前記光ディスク装置に送られたコマンドに含まれる情報から、前記コンテンツの種類を判別する
ことを特徴とする光ディスク装置。
【請求項３】
請求項１に記載の光ディスク装置において、
前記システムコントローラは、前記ホスト装置と前記光ディスク装置との間の著作権保護技術に基づく手続きの成否結果から、前記コンテンツの種類を判別する
ことを特徴とする光ディスク装置。
【請求項４】
光ディスクに記録された情報を再生する光ディスク装置であって、
前記光ディスクに書き込まれているアプリケーション情報から、前記光ディスクに記録されているコンテンツの種類を判別するシステムコントローラと、
前記判別されたコンテンツの種類に応じて、前記光ディスク装置の再生動作の制御を行う制御部とを備えた
ことを特徴とする光ディスク装置。
【請求項５】
請求項４に記載の光ディスク装置において、
前記システムコントローラは、前記アプリケーション情報としてビデオレコーダに係る情報を検出した場合、前記コンテンツの種類がオーディオビデオデータであると判断する
ことを特徴とする光ディスク装置の制御方法。
【請求項６】
請求項４に記載の光ディスク装置において、
前記システムコントローラは、前記アプリケーション情報としてビデオ作成ソフトウェアに係る情報を検出した場合、前記コンテンツの種類がオーディオビデオデータであると判断する
ことを特徴とする光ディスク装置の制御方法。
【請求項７】
請求項４に記載の光ディスク装置において、
前記システムコントローラは、前記アプリケーション情報としてオーディオ作成ソフトウェアに係る情報を検出した場合、前記コンテンツの種類がオーディオビデオデータであると判断する
ことを特徴とする光ディスク装置の制御方法。
【請求項８】
請求項１および請求項４のいずれか一つに記載の光ディスク装置において、
前記システムコントローラは、
前記コンテンツの種類の判別結果に応じて、前記光ディスクの回転速度を制御するための制御信号を出力するものであり、
前記制御部は、
前記制御信号に基づいて、前記回転速度を制御するディスク回転制御部を有する
ことを特徴とする光ディスク装置。
【請求項９】
請求項８に記載の光ディスク装置において、
前記システムコントローラは、前記制御信号として、
前記判別したコンテンツの種類がオーディオビデオデータである場合、前記回転速度を相対的に低く設定するための信号を出力し、
前記判別したコンテンツの種類がオーディオビデオデータ以外のデータである場合、前記回転速度を相対的に高く設定するための信号を出力する
ことを特徴とする光ディスク装置。
【請求項１０】
請求項１および請求項４のいずれか一つに記載の光ディスク装置において、
前記システムコントローラは、
前記コンテンツの種類の判別結果に応じて、前記ホスト装置と前記光ディスク装置との間のデータ通信速度を制御するための制御信号を出力するものであり、
前記制御部は、
前記制御信号に基づいて、前記データ通信速度を制御する通信速度制御部を有する
ことを特徴とする光ディスク装置。
【請求項１１】
請求項１０に記載の光ディスク装置において、
前記システムコントローラは、前記制御信号として、
前記判別したコンテンツの種類がオーディオビデオデータである場合、前記データ通信速度を相対的に低く設定するための信号を出力し、
前記判別したコンテンツの種類がオーディオビデオデータ以外のデータである場合、前記データ通信速度を相対的に高く設定するための信号を出力する
ことを特徴とする光ディスク装置。
【請求項１２】
ホスト装置と光ディスク装置との間のやりとりに基づいて、前記光ディスク装置に装填された光ディスクに記録されているコンテンツの種類を判別する判別ステップと、
前記判別されたコンテンツの種類に応じて、前記光ディスク装置の再生動作の制御を行う制御ステップとを備えた
ことを特徴とする光ディスク装置の制御方法。
【請求項１３】
請求項１２に記載の光ディスク装置の制御方法において、
前記判別ステップは、前記ホスト装置から前記光ディスク装置に送られたコマンドに含まれる情報から、前記コンテンツの種類を判別する
ことを特徴とする光ディスク装置の制御方法。
【請求項１４】
請求項１２に記載の光ディスク装置の制御方法において、
前記判別ステップは、前記ホスト装置と前記光ディスク装置との間の著作権保護技術に基づく手続きの成否結果から、前記コンテンツの種類を判別する
ことを特徴とする光ディスク装置の制御方法。
【請求項１５】
光ディスク装置に装填された光ディスクに書き込まれているアプリケーション情報から、前記光ディスクに記録されているコンテンツの種類を判別する判別ステップと、
前記判別されたコンテンツの種類に応じて、前記光ディスク装置の再生動作の制御を行う制御ステップとを備えた
ことを特徴とする光ディスク装置の制御方法。
【請求項１６】
請求項１２および１５のいずれか一つに記載の光ディスク装置の制御方法において、
前記制御ステップは、
前記判別されたコンテンツの種類がオーディオビデオデータである場合、前記光ディスクの回転速度を、相対的に低く設定し、
前記判別されたコンテンツの種類がオーディオビデオデータ以外の場合、前記回転速度を、相対的に高く設定する
ことを特徴とする光ディスク装置の制御方法。
【請求項１７】
請求項１２および１５のいずれか一つに記載の光ディスク装置の制御方法において、
前記制御ステップは、
前記判別されたコンテンツの種類がオーディオビデオデータである場合、前記ホスト装置と前記光ディスク装置との間のデータ通信速度を、相対的に低く設定し、
前記判別されたコンテンツの種類がオーディオビデオデータ以外の場合、前記データ通信速度を、相対的に高く設定する
ことを特徴とする光ディスク装置の制御方法。
【発明の詳細な説明】
【技術分野】
【０００１】
本発明は、光ディスク装置に関し、特に、デジタルビデオデータやコンピュータ用データなど、さまざまな種類のデータを再生可能な光ディスク装置の技術に関する。
【背景技術】
【０００２】
近年のコンピュータなどの光ディスク制御機器、すなわち、ホスト装置の高性能化に伴い、光ディスク装置はデータをホスト装置へ高速で転送することが可能となっている。しかし、高速通信は、光ディスク装置におけるディスク回転速度や、ホスト装置と光ディスク装置との間のデータ通信速度を増大しなければならないため、光ディスク装置の騒音、振動、光ディスクの回転速度の高速化に伴う光ディスク再生装置の耐久性低下、データ通信の高速化に伴うノイズの発生、ノイズの発生によるデータ通信の信頼性低下、および装置全体の消費電力の増加などが問題となっている。
【０００３】
上記問題を解決するため、光ディスク装置は、概して、光ディスクの種類ごとにあらかじめ決定された回転速度で再生する。たとえば、ＣＤ（Compact Disc)の場合、音楽コンテンツでは低回転速度で再生し、データコンテンツでは最大回転速度で再生動作が行われる。また、ＤＶＤ(Degital Versatile Disc)の場合では２層ディスクは低回転速度で再生され、１層ディスクは高回転速度で再生される。しかし、ＤＶＤの場合、コンテンツはコンピュータ上で処理されるデータであるため、常に最大回転速度で再生され、オーディオビデオデータのような高速回転で再生する必要がないコンテンツまでもが最大回転速度で再生されてしまう。
【０００４】
そこで従来の技術では、ＤＶＤに記録されているＶＩＤＥＯ＿ＴＳディレクトリやコピーライトプロテクションシステムタイプ（Copyright Protection System Type）、リージョンマネジメントインフォメーション（Region Management Information）、または各セクタデータのヘッダのＣＰＭ（Copyright Material）ビットを参照することによって、ＤＶＤのコンテンツの種類がオーディオビデオデータであるか否かを判別し、オーディオビデオデータである場合は、低速回転で再生することを行っている（たとえば、特許文献１参照）。
【特許文献１】特開２００１−３５７６０１号公報（第４、５頁、第２図）
【発明の開示】
【発明が解決しようとする課題】
【０００５】
上記のＶＩＤＥＯ＿ＴＳディレクトリやコピーライトプロテクションシステムタイプ、リージョンマネジメントインフォメーション、または各セクタデータのヘッダのＣＰＭビットは、限られた種類のＤＶＤに記録されている。このため、これらを参照できたとしても、限られた種類のＤＶＤについてのみ判別可能である。したがって、従来技術では全種類のＤＶＤについてコンテンツの種類を判別することは困難である。
【０００６】
上記問題に鑑み、本発明は、光ディスクの種類に関係なく、コンテンツの種類の判別が可能な光ディスク装置の実現を課題とする。
【課題を解決するための手段】
【０００７】
上記問題を解決するために本発明が講じた手段は、光ディスクに記録された情報を再生する光ディスク装置であって、ホスト装置と光ディスク装置との間のやりとりに基づいて、光ディスクに記録されているコンテンツの種類を判別するシステムコントローラと、判別されたコンテンツの種類に応じて、光ディスク装置の再生動作の制御を行う制御部とを備えたものとする。
【０００８】
この発明によると、システムコントローラによって、ホスト装置と光ディスク再生装置とのやりとりに基づいて、光ディスクに記録されたコンテンツの種類が判別され、制御部によって、判別されたコンテンツの種類に応じて、光ディスク装置の再生動作の制御が行われる。これにより、光ディスクの種類に関係なく、コンテンツの種類を判別することができ、判別されたコンテンツの種類に応じて、光ディスク装置の再生動作に適応した制御を行うことができる。
【０００９】
具体的には、システムコントローラは、ホスト装置から光ディスク装置に送られたコマンドに含まれる情報から、コンテンツの種類を判別するものとする。
【００１０】
この発明によると、システムコントローラによって、ホスト装置から光ディスク装置に送られたコマンドに含まれる情報が参照されることで、光ディスクに記録されているコンテンツの種類が判別される。これにより、コンテンツの種類が容易に判別される。
【００１１】
また、具体的には、システムコントローラは、ホスト装置と光ディスク装置との間の著作権保護技術に基づく手続きの成否結果から、コンテンツの種類を判別するものとする。
【００１２】
この発明によると、システムコントローラによって、ホスト装置と光ディスク装置との間で著作権保護技術に基づく手続きの成否結果が検出されることで、光ディスクに記録されているコンテンツの種類が判別される。これにより、コンテンツの種類が容易に判別される。
【００１３】
また、上記問題を解決するために本発明が講じた手段は、光ディスクに記録された情報を再生する光ディスク装置であって、光ディスクに書き込まれているアプリケーション情報から、光ディスクに記録されているコンテンツの種類を判別するシステムコントローラと、判別されたコンテンツの種類に応じて、光ディスク装置の再生動作の制御を行う制御部とを備えたものとする。
【００１４】
この発明によると、システムコントローラによって、光ディスクに書き込まれているアプリケーション情報を検出することで、コンテンツの種類が判別され、制御部によって、判別されたコンテンツの種類に応じて、光ディスク装置の再生動作の制御が行われる。アプリケーション情報は、光ディスクの種類に関係なく記録されているため、これにより、光ディスクの種類に関係なく、コンテンツの種類を判別することができ、判別されたコンテンツの種類に応じて、光ディスク装置の再生動作に適応した制御を行うことができる。
【００１５】
具体的には、前記システムコントローラは、アプリケーション情報としてビデオレコーダに係る情報を検出した場合、コンテンツの種類がオーディオビデオデータであると判断するものとする。
【００１６】
この発明によると、光ディスクにビデオレコーダに係る情報が記録されている場合、システムコントローラによって、当該光ディスクに記録されているコンテンツの種類がオーディオビデオデータであると判断される。これにより、コンテンツの種類が容易に判別される。
【００１７】
また、具体的には、システムコントローラは、アプリケーション情報としてビデオ作成ソフトウェアに係る情報を検出した場合、コンテンツの種類がオーディオビデオデータであると判断するものとする。
【００１８】
この発明によると、光ディスクにビデオ作成ソフトウェアに関する情報が記録されている場合、システムコントローラによって、当該光ディスクに記録されているコンテンツの種類がオーディオビデオデータであると判断される。これにより、コンテンツの種類が容易に判別される。
【００１９】
また、具体的には、システムコントローラは、アプリケーション情報としてオーディオ作成ソフトウェアに係る情報を検出した場合、コンテンツの種類がオーディオビデオデータであると判断するものとする。
【００２０】
この発明によると、光ディスクにオーディオ作成ソフトウェアに関する情報が記録されている場合、システムコントローラによって、当該光ディスクに記録されているコンテンツの種類がオーディオビデオデータであると判断される。これにより、コンテンツの種類が容易に判別される。
【００２１】
また、具体的には、システムコントローラは、コンテンツの種類の判別結果に応じて、光ディスクの回転速度を制御するための制御信号を出力するものであり、制御部は、制御信号に基づいて、光ディスクの回転速度を制御するディスク回転制御部を有するものとする。
【００２２】
この発明によると、判別されたコンテンツの種類に応じて、光ディスク装置の再生動作に適応した光ディスクの回転速度が設定される。
【００２３】
さらに、具体的には、システムコントローラは、制御信号として、判別したコンテンツの種類がオーディオビデオデータである場合、回転速度を相対的に低く設定するための信号を出力し、判別したコンテンツの種類がオーディオビデオデータ以外のデータである場合、回転速度を相対的に高く設定するための信号を出力するものとする。
【００２４】
この発明によると、オーディオビデオデータ以外のデータが記録された光ディスクの再生時には、回転速度は高速に設定されるが、オーディオビデオデータが記録された光ディスクの再生時には、回転速度は低速に設定されるため、光ディスク装置の騒音、振動および消費電力が低減される。
【００２５】
また、具体的には、システムコントローラは、コンテンツの種類の判別結果に応じて、ホスト装置と光ディスク装置との間のデータ通信速度を制御するための制御信号を出力するものであり、制御部は、制御信号に基づいて、データ通信速度を制御する通信速度制御部を有するものとする。
【００２６】
この発明によると、判別されたコンテンツの種類に応じて、光ディスク装置の再生動作に適応したホスト装置と光ディスク装置との間のデータ通信速度が設定される。
【００２７】
さらに、具体的には、システムコントローラは、制御信号として、判別したコンテンツの種類がオーディオビデオデータである場合、データ通信速度を相対的に低く設定するための信号を出力し、判別したコンテンツの種類がオーディオビデオデータ以外のデータである場合、データ通信速度を相対的に高く設定するための信号を出力するものとする。
【００２８】
この発明によると、オーディオビデオデータ以外のデータが記録された光ディスクの再生時には、データ通信速度は高速に設定されるが、オーディオビデオデータが記録された光ディスクの再生時には、データ通信速度は低速に設定されるため、データ通信の高速化に伴うノイズの発生、ならびにホスト装置および光ディスク装置の消費電力が低減される。
【００２９】
一方、上記課題を解決するために本発明が講じた手段は、光ディスク装置の制御方法として、ホスト装置と光ディスク装置との間のやりとりに基づいて、光ディスク装置に装填された光ディスクに記録されているコンテンツの種類を判別する判別ステップと、判別されたコンテンツの種類に応じて、光ディスク装置の再生動作の制御を行う制御ステップとを備えたものとする。
【００３０】
この発明によると、ホスト装置と光ディスク装置との間のやりとりから、光ディスクに記録されているコンテンツの種類が判別され、判別されたコンテンツの種類に応じて、光ディスク装置の再生動作の制御が行われる。これにより、光ディスクの種類に関係なく、コンテンツの種類を判別することができ、判別されたコンテンツの種類に応じて、光ディスク装置の再生動作に適応した制御を行うことができる。
【００３１】
具体的には、判別ステップは、ホスト装置から光ディスク装置に送られたコマンドに含まれる情報から、コンテンツの種類を判別するものとする。
【００３２】
この発明によると、ホスト装置から光ディスク装置に送られたコマンドに含まれる情報から、光ディスクに記録されているコンテンツの種類が判別される。これにより、コンテンツの種類が容易に判別される。
【００３３】
また、具体的には、判別ステップは、ホスト装置と光ディスク装置との間の著作権保護技術に基づく手続きの成否結果から、コンテンツの種類を判別するものとする。
【００３４】
この発明によると、ホスト装置と光ディスク装置との間で著作権保護技術に基づく手続きの成否結果から、光ディスクに記録されているコンテンツの種類が判別される。これにより、コンテンツの種類が容易に判別される。
【００３５】
また、上記問題を解決するために本発明が講じた手段は、光ディスク装置の制御方法として、光ディスク装置に装填された光ディスクに書き込まれているアプリケーション情報から、光ディスクに記録されているコンテンツの種類を判別する判別ステップと、判別されたコンテンツの種類に応じて、光ディスク装置の再生動作の制御を行う制御ステップとを備えたものとする。
【００３６】
この発明によると、光ディスクに書き込まれているアプリケーション情報から、光ディスクに記録されているコンテンツの種類が判別され、判別されたコンテンツの種類に応じて、光ディスク装置の再生動作の制御が行われる。アプリケーション情報は、光ディスクの種類に関係なく記録されているため、これにより、光ディスクの種類に関係なく、コンテンツの種類を判別することができ、判別されたコンテンツの種類に応じて、光ディスク装置の再生動作に適応した制御を行うことができる。
【００３７】
また、具体的には、制御ステップは、判別されたコンテンツの種類がオーディオビデオデータである場合、光ディスクの回転速度を相対的に低く設定し、判別されたコンテンツの種類がオーディオビデオデータ以外の場合、回転速度を相対的に高く設定するものとする。
【００３８】
この発明によると、オーディオビデオデータが記録された光ディスクの再生時は、光ディスクの回転速度が相対的に低く設定され、オーディオビデオデータ以外のデータが記録された光ディスクの再生時は、光ディスクの回転速度が相対的に高く設定される。これにより、光ディスク装置の騒音、振動および消費電力が低減される。
【００３９】
また、具体的には、制御ステップは、判別されたコンテンツの種類がオーディオビデオデータである場合、ホスト装置と光ディスク装置との間のデータ通信速度を相対的に低く設定し、判別されたコンテンツの種類がオーディオビデオデータ以外の場合、データ通信速度を相対的に高く設定するものとする。
【００４０】
この発明によると、オーディオビデオデータが記録された光ディスクの再生時は、データ通信速度が相対的に低く設定され、オーディオビデオデータ以外のデータが記録された光ディスクの再生時は、データ通信速度が相対的に高く設定される。これにより、データ通信の高速化に伴うノイズの発生、ならびにホスト装置および光ディスク装置の消費電力が低減される。
【発明の効果】
【００４１】
本発明によると、光ディスクの種類に関係なく、光ディスクに記録されているコンテンツの種類が判別され、判別されたコンテンツの種類に応じて、光ディスク装置の再生動作の制御が行われる。特に、高速制御の必要がないオーディオビデオデータの再生時には、低速で制御を行うことができるため、光ディスク装置の騒音、振動、およびデータ通信の高速化に伴うノイズの発生、ならびにホスト装置および光ディスク装置の消費電力を低減することが可能となる。
【発明を実施するための最良の形態】
【００４２】
以下、本発明を実施するための最良の形態について、図面を参照しながら説明する。
【００４３】
（第１の実施形態）
図１は、本発明の第１の実施形態に係る光ディスク装置の構成を示す。本発明に係る光ディスク装置１１は、システムコントローラ１２と、ディスク回転制御部１３と、ドライバ１４と、スピンドルモータ１５と、通信速度制御部１７とを備えている。システムコントローラ１２は、光ディスク装置１１に装填された光ディスク１６に記録されているコンテンツの種類を判別し、判別したコンテンツの種類に応じて、スピンドルモータ１５の回転速度を制御するための制御信号Sig１、および、ホスト装置１００と光ディスク装置１１との間のデータ通信速度を制御するための制御信号Sig２を出力する。ディスク回転制御部１３は、システムコントローラ１２から出力された制御信号Sig１を受信し、当該信号の内容に応じて、ドライバ１４を介して、スピンドルモータ１５の回転速度を設定する。通信速度制御部１７は、システムコントローラ１２から出力された制御信号Sig２を受信し、当該信号の内容に応じて、ホスト装置１００と光ディスク再生装置１１との間のデータ通信速度を設定する。
【００４４】
ところで、ホスト装置１００と光ディスク装置１１との間のデータ通信規格の一つとしてＵｌｔｒａ  ＤＭＡがある。この規格によると、ホスト装置１００と光ディスク装置１１とを起動したとき、これらの装置の間で上限の通信速度が決定される。決定後は、上限通信速度以下の通信速度であれば通信は可能であり、この速度はシステムコントローラ１２が決定する。以下、本実施形態に係る光ディスク装置１１について、Ｕｌｔｒａ  ＤＭＡ規格に準拠したものとして説明する。しかし、これは説明の便宜のためであり本発明をこの規格に限定するわけではない。
【００４５】
以下、光ディスク装置１１の再生動作の制御方法について説明する。
【００４６】
光ディスク１６を再生する際、ホスト装置１００からシステムコントローラ１２に特有のコマンドが送られる。ここでは、具体例として、ホスト装置１００からシステムコントローラ１２に“Ｒｅａｄ（１２）”コマンドが送られるものとして説明する。
【００４７】
図２は、“Ｒｅａｄ（１２）”コマンドのフォーマットを示す。ホスト装置１００が“Ｒｅａｄ（１２）”コマンドのフォーマットに定義されている「Streamingビット」を“１”に設定し、システムコントローラ１２に当該コマンドを送信した場合、これは、光ディスク装置１１に対するオーディオビデオデータ再生命令を意味する。よって、この場合、光ディスク１６に記録されているコンテンツの種類は、オーディオビデオデータであることが判断される。
【００４８】
図３は、コマンド参照による光ディスク装置１１の再生動作の制御方法についてのフローチャートを示す。光ディスク１６装填後、システムコントローラ１２は、ホスト装置１００から送信された“Ｒｅａｄ（１２）”コマンドを参照する（Ｓ３１）。ステップＳ３２で、システムコントローラ１２が「Streamingビット」は“１”であると確認した場合、光ディスク１６に記録されているコンテンツの種類は、オーディオビデオデータであることが判断される。オーディオビデオデータのビットレートは、光ディスク規格によりあらかじめ決められているため、当該データが記録されている光ディスク１６を再生する場合は、光ディスク１６の回転速度およびホスト装置１００と光ディスク装置１１との間の通信速度を、オーディオビデオデータ以外のデータ（たとえば、コンピュータのソフトウェアやデータ）再生時と同じ高速に設定する必要がない。したがって、システムコントローラ１２は、オーディオビデオデータを再生するのに最低限必要な速度で、光ディスク１６を回転させるような制御信号Sig１およびホスト装置１００と光ディスク再生装置１１との間でデータを通信させるような制御信号Sig２をそれぞれ、ディスク回転制御部１３および通信速度制御部１７に出力する。それぞれの制御信号を受信したディスク回転制御部１３および通信速度制御部１７は、ディスク回転速度およびデータ通信速度を低速に設定する（Ｓ３３）。
【００４９】
一方、ステップＳ３２で、システムコントローラ１２が「Streamingビット」は“０”であると確認した場合、光ディスク１６に記録されているコンテンツの種類は、オーディオビデオデータ以外のデータであることが判断される。したがって、システムコントローラ１２は、従来と同様に、光ディスク１６を高速回転させるような制御信号Sig１およびホスト装置１００と光ディスク装置１１との間でデータを高速通信させるような制御信号Sig２をそれぞれ、ディスク回転制御部１３および通信速度制御部１７に出力する。それぞれの制御信号を受信したディスク回転制御部１３および通信速度制御部１７は、ディスク回転速度およびデータ通信速度を、高速に設定する（Ｓ３４）。
【００５０】
以上、本実施形態によると、ホスト装置１００から送られたコマンドを参照して、光ディスク１６のコンテンツの種類が判別される。これにより、光ディスク１６のコンテンツの種類がオーディオビデオデータであるならば、光ディスク装置１１は、低速回転および低速通信でデータを再生するため、光ディスク装置１１の騒音、振動、およびデータ通信の高速化に伴うノイズの発生、ならびにホスト装置および光ディスク装置の消費電力を低減することが可能となる。
【００５１】
なお、ここでは説明の便宜上、ホスト装置１００からシステムコントローラ１２に送られるコマンドを“Ｒｅａｄ（１２）”コマンドのみとして、上記判別ステップを説明したが、本発明はこれに限定されない。このコマンド以外に、オーディオビデオデータを判別できる特有の情報をもったコマンドからコンテンツの種類を判別するようにしてもよい。
【００５２】
（第２の実施形態）
次に、本発明の第２の実施形態に係る光ディスク装置について説明する。本実施形態に係る光ディスク装置の構成は、図１に示した構成と同様であるため、ここでの説明は省略し、以下、システムコントローラ１２が行う光ディスク装置１１の再生動作の制御方法について説明する。
【００５３】
光ディスク１６を再生する際、ホスト装置１００と光ディスク装置１１との間で著作権保護技術に基づく手続きが行われる。たとえば、ＤＶＤの著作権保護技術には、ＣＳＳ(Content Scramble System)、ＣＰＰＭ(Content Protection for Prerecorded Media)、ＣＰＲＭ(Content Protection for Recordable Media)の３種類がある。ＣＳＳ、ＣＰＰＭ、およびＣＰＲＭは、それぞれＤＶＤ−Ｖｉｄｅｏ、ＤＶＤ−Ａｕｄｉｏ、および記録型ＤＶＤのビデオ記録の著作権保護方式である。したがって、光ディスク１６を再生する際、ホスト装置１００と光ディスク装置１１との間でＣＳＳ、ＣＰＰＭ、またはＣＰＲＭに基づく手続きが成立したとき、光ディスク１６に記録されているコンテンツの種類は、オーディオビデオデータであることが分かる。
【００５４】
図４は、ＤＶＤの著作権保護技術に基づく手続きによる光ディスク装置１１の再生動作の制御方法についてのフローチャートを示す。光ディスク１６装填後、ホスト装置１００と光ディスク装置１１との間で著作権保護技術に基づく手続きが行われる（Ｓ４１）。ステップＳ４２で、ホスト装置１００と光ディスク装置１１との間でＣＳＳに基づく手続きが成立した場合、光ディスク１６に記録されているコンテンツの種類は、オーディオビデオデータであることが判断される。したがって、システムコントローラ１２は、オーディオビデオデータを再生するのに最低限必要な速度で、光ディスク１６を回転させるような制御信号Sig１およびホスト装置１００と光ディスク装置１１との間でデータを通信させるような制御信号Sig２をそれぞれ、ディスク回転制御部１３および通信速度制御部１７に出力する。それぞれの制御信号を受信したディスク回転制御部１３および通信速度制御部１７は、ディスク回転速度およびデータ通信速度を低速に設定する（Ｓ４３）。
【００５５】
一方、ホスト装置１００と光ディスク装置１１との間でＣＳＳに基づく手続きが成立しない場合は、ステップＳ４４に移行する。ステップＳ４４において、ホスト装置１００と光ディスク装置１１との間でＣＰＰＭに基づく手続きが成立した場合、光ディスク１６に記録されているコンテンツの種類は、オーディオビデオデータであることが判断され、ステップＳ４３に移行する。
【００５６】
一方、ステップＳ４４で、ホスト装置１００と光ディスク装置１１との間でＣＰＰＭに基づく手続きが成立しない場合は、ステップＳ４５に移行する。ステップＳ４５において、ホスト装置１００と光ディスク装置１１との間でＣＰＲＭに基づく手続きが成立する場合、光ディスク１６に記録されているコンテンツの種類は、オーディオビデオデータであることが判断され、ステップＳ４３に移行する。
【００５７】
一方、ステップＳ４５で、ホスト装置１００と光ディスク装置１１との間でＣＰＲＭに基づく手続きが成立しない場合は、光ディスク１６に対して著作権保護されていないことが判断され、光ディスク１６に記録されているコンテンツの種類は、オーディオビデオデータ以外のデータであることが判断される。したがって、システムコントローラ１２は、従来と同様に、光ディスク１６を高速回転させるような制御信号Sig１およびホスト装置１００と光ディスク装置１１との間でデータを高速通信させるような制御信号Sig２をそれぞれ、ディスク回転制御部１３および通信速度制御部１７に出力する。それぞれの制御信号を受信したディスク回転制御部１３および通信速度制御部１７は、ディスク回転速度およびデータ通信速度を、高速に設定する（Ｓ４６）。
【００５８】
以上、本実施形態によると、ホスト装置１００と光ディスク装置１１との間で著作権保護技術に基づく手続きの成否を検出することで、光ディスク１６に記録されているコンテンツの種類が容易に判別される。
【００５９】
なお、ここでは説明の便宜上、ＤＶＤについて、ホスト装置１００と光ディスク装置１１との間の著作権保護技術に基づく手続きによる判別ステップを説明したが、本発明はこれに限定されない。これら以外に他の光ディスクについての著作権保護技術に基づく手続きによって、光ディスク１６に記録されているコンテンツの種類を判別してもよい。
【００６０】
（第３の実施形態）
次に、本発明の第３の実施形態に係る光ディスク装置について説明する。本実施形態に係る光ディスク装置の構成は、図１に示した構成と同様であるため、ここでの説明は省略し、以下、システムコントローラ１２が行う光ディスク装置１１の再生動作の制御方法について説明する。
【００６１】
データが書き込まれた光ディスクには、当該データを書き込んだアプリケーション情報が記録されている。このアプリケーション情報は、光ディスクの種類に関係なく共通に書き込まれている。オーディオビデオデータに関するアプリケーション情報としては、光ディスクにデータを記録したビデオレコーダに関する情報、また、ホスト装置１００を用いて光ディスクにデータを記録した場合は、ビデオ作成ソフトウェア、およびオーディオ作成ソフトウェアに関する情報などがある。
【００６２】
図５は、アプリケーション情報による光ディスク装置１１の再生動作の制御方法のフローチャートを示す。システムコントローラ１２が、光ディスク１６が保持しているアプリケーション情報を検索し（Ｓ５１）、ステップＳ５２で、アプリケーション情報が、ビデオレコーダに関する情報であると確認された場合、光ディスク１６に記録されているコンテンツの種類は、オーディオビデオデータであることが判断される。したがって、システムコントローラ１２は、オーディオビデオデータを再生するのに最低限必要な速度で、光ディスク１６を回転させるような制御信号Sig１およびホスト装置１００と光ディスク装置１１との間でデータを通信させるような制御信号Sig２をそれぞれ、ディスク回転制御部１３および通信速度制御部１７に出力する。それぞれの制御信号を受信したディスク回転制御部１３および通信速度制御部１７は、ディスク回転速度およびデータ通信速度を低速に設定する（Ｓ５３）。
【００６３】
一方、ステップＳ５２で、アプリケーション情報が、ビデオレコーダに関する情報ではないと確認された場合は、ステップＳ５４に移行する。ステップＳ５４において、アプリケーション情報が、ビデオ作成ソフトウェアに関する情報であると確認された場合、光ディスク１６に記録されているコンテンツの種類は、オーディオビデオデータであることが判断され、ステップＳ５３に移行する。
【００６４】
一方、アプリケーション情報が、ビデオ作成ソフトウェアに関する情報ではないと確認された場合は、ステップＳ５５に移行する。ステップＳ５５において、アプリケーション情報が、オーディオ作成ソフトウェアに関する情報であると確認された場合、光ディスク１６に記録されているコンテンツの種類は、オーディオビデオデータであることが判断され、ステップＳ５３に移行する。
【００６５】
一方、ステップＳ５５で、アプリケーション情報が、オーディオ作成ソフトウェアではないと確認された場合は、光ディスク１６に記録されているコンテンツの種類は、オーディオビデオデータ以外のデータであることが判断される。したがって、システムコントローラ１２は、従来と同様に、光ディスク１６を高速回転させるような制御信号Sig１およびホスト装置１００と光ディスク装置１１との間でデータを高速通信させるような制御信号Sig２をそれぞれ、ディスク回転制御部１３および通信速度制御部１７に出力する。それぞれの制御信号を受信したディスク回転制御部１３および通信速度制御部１７は、ディスク回転速度およびデータ通信速度を、高速に設定する（Ｓ５６）。
【００６６】
以上、本実施形態によると、光ディスクの種類に関係なく共通に書き込まれているアプリケーション情報の有無を検出することで、光ディスク１６に記録されているコンテンツの種類が容易に判別される。
【００６７】
なお、ここでは説明の便宜上、アプリケーション情報の内容をビデオレコーダに関する情報、ビデオ作成ソフトウェアに関する情報、およびオーディオ作成ソフトウェアに関する情報のみとして判別ステップを説明したが、本発明はこれに限定されない。上記以外にも、オーディオビデオデータ特有のアプリケーション情報から光ディスク１６のコンテンツの種類を判別してもよい。
【００６８】
また、上記の各実施形態では光ディスク装置１１の再生動作の制御として、回転速度制御および通信速度制御の２つとしたが、これらの制御のうちどちらか一方の制御だけを行ってもよい。さらに、回転速度および通信速度以外の要素についても上記と同様な制御を行ってもよい。
【００６９】
また、光ディスク１６に記録されているコンテンツの種類判別の精度を上げるために、第１から第３の実施形態に係る光ディスク装置１１の再生動作の制御方法のうち、２つ以上の方法を組み合わせてコンテンツの種類判別を行ってもよい。
【産業上の利用可能性】
【００７０】
本発明に係る光ディスク装置は、オーディオビデオデータの再生に対して、光ディスク装置の騒音、振動、および消費電力を低減することが可能となるため、特に、携帯型のコンピュータ周辺機器としての利用に有用である。
【図面の簡単な説明】
【００７１】
【図１】本発明の第１の実施形態に係る光ディスク装置の構成図である。
【図２】“Ｒｅａｄ（１２）”コマンドのフォーマットを示す図である。
【図３】コマンド参照による光ディスク装置の再生動作の制御方法についてのフローチャートである。
【図４】ＤＶＤの著作権保護技術に基づく手続きによる光ディスク装置の再生動作の制御方法についてのフローチャートである。
【図５】アプリケーション情報による光ディスク装置の再生動作の制御方法についてのフローチャートである。
【符号の説明】
【００７２】
１１  光ディスク装置
１２  システムコントローラ
１３  ディスク回転制御部
１７  通信速度制御部
１００  ホスト装置
Sig１  制御信号
Sig２  制御信号
【図１】
2006185480.tif 000003
【図２】
2006185480.tif 000004
【図３】
2006185480.tif 000005
【図４】
2006185480.tif 000006
【図５】
2006185480.tif 000007